(57)【要約】【課題】施設内への入退出の許可、不許可の他に勤務時間や緊急事態の発信等も管理することのできる入退場者の管理システムを提供すること。【解決手段】入退場者にＲＦＩＤのタグ１を付与するとともに、出入口に赤外線、音波又は電波発信装置３と、タグ受信機５を配設し、前記タグ１が、受信した赤外線、音波又は電波の特性に基づいて発信装置の位置ＩＤと共にタグ自体のＩＤをタグ用受信機５に送信することによって入退場者を管理する管理システムにおいて、スイッチＡ、Ｂ、Ｃの押圧によって個別ＩＤを送信するＲＦＩＤのタグ１を用いて入退場者の管理を行う。【選択図】  図１
2004288119.tif 000002
【特許請求の範囲】
【請求項１】
入退場者にＲＦＩＤのタグを付与するとともに、出入口に赤外線、音波又は電波発信装置と、タグ受信機を配設し、前記タグが、受信した赤外線、音波又は電波の特性に基づいて発信装置の位置ＩＤと共にタグ自体のＩＤをタグ用受信機に送信することによって入退場者を管理する管理システムにおいて、スイッチの押圧によって個別ＩＤを送信するＲＦＩＤのタグを用いて入退場者の管理を行うことを特徴とする入退場者の管理システム。
【請求項２】
スイッチを複数個備え、それらを組み合わせて押圧することによって異なる信号を送信することができるＲＦＩＤのタグを用いて入退場者を管理することを特徴とする請求項１記載の入退場者の管理システム。
【請求項３】
複数のスイッチを、任意の順番で押下することによってタグ自体のＩＤを一定時間送信可能にすることのできるＲＦＩＤのタグを用いて入退場者を管理することを特徴とする請求項１又は２記載の入退場者の管理システム。
【発明の詳細な説明】
【０００１】
【発明の属する技術分野】
本発明は、入退場者（本明細書において入退室者を含む。）の管理システムに関し、特に、ＲＦＩＤ（Ｒａｄｉｏ  Ｆｒｅｑｕｅｎｃｙ  Ｉｄｅｎｔｉｆｉａｔｉｏｎ（電波方式認識）。本明細書において、「ＲＦＩＤ」という。）タグに付加的な機能を持たせた入退場者の管理システムに関するものである。
【０００２】
【従来の技術】
従来の入退場者の管理システムは、入退場者にＲＦＩＤのタグを付与するとともに、出入口にＲＦＩＤのアンテナ、タグ受信機及び侵入検知器を配設し、受信したタグの通行許可ＩＤにより、侵入検知器を解除又は侵入検知器の検知を無効にするようにしたシステムが本発明者等によって提案されている。
【０００３】
この入退場者の管理システムは、ＲＦＩＤタグ５０を着用した人が出入口Ｇに接近すると、ＲＦＩＤタグ５０より常時発信されるＲＦ信号を、アンテナ５１により受信する。
このアンテナ５１で受信されたＲＦＩＤタグのＩＤ（データ）は、このアンテナに接続されたタグ受信機５２を介して受信機ステーション５４に送られる。
受信機ステーション５４では、ＲＦＩＤタグ５０のＩＤを識別して、通行の許可／不許可を判断し、通行許可の場合は、侵入検知器５３を解除するか、又は侵入検知器５３の検知を無効にして、出入口Ｇの通行を許可するもので、通行許可ＩＤのＲＦＩＤタグ５０を持つ者の入退場を自動的に許可するとともに、通行許可ＩＤのないＲＦＩＤタグ５０を持つ者やＲＦＩＤタグ５０を持たない者が入退場しようとした場合には、侵入検知器５６、５７が作動し、警報やゲートの閉鎖、カメラによる撮影等により、その入退場を自動的に阻止することができるものである。
【０００４】
この場合、ＲＦＩＤタグ５０は常時ＲＦ信号を発信する必要があり、ＲＦＩＤタグ５０の消費電力に問題があった。
そこで、図３に示すＲＦＩＤタグ２０が本発明者等によって提案されたもので、このＲＦＩＤタグ２０は、赤外線発信装置からの赤外線を受光する赤外線受光部１１と、赤外線受光部が受光した赤外線の波長に基づいて赤外線発信装置の位置ＩＤを識別する位置ＩＤ判別処理部１２と、この位置ＩＤをタグ１自体のＩＤと共にＲＦ信号に変換するＲＦ信号変換処理部１３と、変換したＲＦ信号をタグアンテナ１４とＲＦＩＤ受信用アンテナ４を介してタグ用受信機５に発信するＲＦ信号発信処理部１５とを備えている。
【０００５】
このＲＦＩＤタグ２０を使った入退場者の管理システムは、図５に示すように、タグ保持者が室内８の外側である廊下６の赤外線発信装置３ａの赤外線照射エリアＡに進入すると、タグ２０の赤外線受光部１１が赤外線を受信し、赤外線の波長から赤外線発信装置３ａの位置ＩＤを認識し、タグ２０自体のＩＤと共にＲＦ信号に変換して電波を発信する。
一方、タグ用受信機５では、タグ２０からの電波をＲＦＩＤの受信用アンテナ４によって受信し、赤外線発信装置３ａの位置ＩＤとタグＩＤを認識して、受信機ステーション（図示しない）へ送信する。
以上により、タグ保持者が外側の赤外線発信装置３ａの照射エリアＡに存在することを把握することができる。
【０００６】
この際、上述したように警報やゲートの閉鎖、カメラによる撮影等により、その入退場を自動的に阻止するほか、通行許可ＩＤを持つ者の通過を許容するように出入口２に備えたドア７を開放する。
さらに、タグ保持者が内側の赤外線発信装置３ｂの照射エリアＢに進入した場合は、上記と同様の原理をによりタグ保持者が内側の赤外線発信装置３ｂの照射エリアＢに存在することを把握することができ、また、タグ保持者が入室したことを同時に受信機ステーションが判断することができる（例えば、特許文献１参照。）。
【０００７】
【特許文献１】
特開２００３−２１６７９号公報
【０００８】
【発明が解決しようとする課題】
ところで、この場合、入退場者の一元的な管理は可能であるものの、ＲＦＩＤタグは個別一定のＩＤ情報を１種類発信するのみで、それ以外の付加情報を管理することはできず、また、赤外線発信装置からの赤外線を受信しなければＲＦ信号を発信することができず、緊急時において信号を発信したりすることができない等の問題があった。
【０００９】
本発明は、上記従来の入退場者の管理システムの問題点に鑑み、施設内への入退出の許可、不許可のほかに勤務時間や緊急事態の発信等も管理することのできる入退場者の管理システムを提供することを目的とするものである。
【００１０】
【課題を解決するための手段】
上記目的を達成するため、本発明の入退場者の管理システムは、入退場者にＲＦＩＤのタグを付与するとともに、出入口に赤外線、音波又は電波発信装置と、タグ受信機を配設し、前記タグが、受信した赤外線、音波又は電波の特性に基づいて発信装置の位置ＩＤと共にタグ自体のＩＤをタグ用受信機に送信することによって入退場者を管理する管理システムにおいて、スイッチの押圧によって個別ＩＤを送信するＲＦＩＤのタグを用いて入退場者の管理を行うことを特徴とする。
【００１１】
この入退場者の管理システムは、タグ自体のＩＤ情報とは別にスイッチを押すことによって発信されるＩＤ情報によって、職場への出社退社情報の付加や緊急時のエマージェンシーとして使用することができる。
【００１２】
この場合において、スイッチを複数個備え、それらを組み合わせて押圧することによって異なる信号を送信することができるＲＦＩＤのタグを用いて入退場者の管理することができる。
【００１３】
これにより、スイッチの押圧の組み合わせによって複数のＩＤ情報を送信することができる。
【００１４】
この場合において、複数のスイッチを、任意の順番で押下することによってタグ自体のＩＤを一定時間送信可能にすることのできるＲＦＩＤのタグを用いて入退場者を管理することができる。
【００１５】
これにより、紛失したＲＦＩＤタグによっては、タグ自体のＩＤが送信されず、不法侵入を有効に防止することができる。
【００１６】
【発明の実施の形態】
以下、本発明の入退場者の管理システムの実施の形態を図面に基づいて説明する。
【００１７】
図１〜図２は、本発明の入退場者の管理システムに用いるＲＦＩＤタグを示す。
ＲＦＩＤのタグ１は、従来のＲＦＩＤタグと同様に、赤外線発信装置３ａ、３ｂの赤外線を受光する赤外線受光部１１と、赤外線受光部が受光した赤外線の波長に基づいて赤外線発信装置の位置ＩＤを識別する位置ＩＤ判別処理部１２と、この位置ＩＤをタグ１自体のＩＤと共にＲＦ信号に変換するＲＦ信号変換処理部１３を備えるとともに、表面のスイッチに連動してスイッチの押下を判別するスイッチＩＤ判別処理部１６を備え、従来例と同様に、変換したＲＦ信号をタグアンテナ１４とＲＦＩＤ受信用アンテナ４を介してタグ用受信機５に発信するＲＦ信号発信処理部１５とを備えている。
【００１８】
ＲＦＩＤタグ１は、通常スイッチを押下しない状態では、赤外線、音波又は電波発信装置（以下、従来と同様、赤外線発信装置３ａ、３ｂという。）からの赤外線、音波又は電波（以下、赤外線を例にとって説明する。）をタグ１の赤外線受光部１１が受信したときにＲＦＩＤタグ１自体の個別ＩＤと受信した赤外線によって判別される位置ＩＤと共にＲＦ信号に変換して電波を発信し、受信用アンテナ４を介し、タグ用受信機５に送信するもので、タグ用受信機５において位置ＩＤと個別ＩＤとを判別し、タグ保持者の位置を把握すると共に、権原ある個別ＩＤを受信した際は、従来例と同様に通行ゲートの開放を行い、入退出の管理を行うものである。
【００１９】
この際、ＲＦＩＤタグ１に備えたスイッチＡの機能として、例えば、出社宣言ＩＤを、スイッチＢの機能として、退社宣言ＩＤを付与したとき、スイッチＡ又はスイッチＢを押下して入退室するようにすれば、タイムカードを押す場合と同様の効果を得ることができる。
【００２０】
また、病院に入院する患者などにタグを持たせる場合、スイッチの一つにエマージェンシーＩＤを付与することによって、病院内で何処にいる場合でも緊急時を知らせることが可能となる。
【００２１】
さらに、ＩＤ機能開始スイッチの機能を持たせたＲＦＩＤタグ１の場合、個別ＩＤの送信は、例えば、スイッチＡ、Ｂ、Ｃの３つのスイッチの押下順番を組み合わせ、Ａ−Ｃ−Ｂ−Ａと押下した後一定時間（一日の就業時間に合わせて８時間である場合や、紛失によるセキュリティ向上を目的とする場合は２時間程度の短時間に設定することが望ましい）のみ送信可能とすることによって、紛失などにより、他人に使用されることを防止することができる。
【００２２】
また、複数のスイッチを同時に押下することによって異なる信号を発信するように構成することも可能であり、特にセキュリティを要する室内への入室に際しては、個別ＩＤのほかにスイッチの同時押しや押下順番の組み合わせによって正しい信号を発信した者のみの通過を許容するようにすることもできる。
【００２３】
以上、本発明の入退場者の管理システムについて、その実施例に基づいて説明したが、本発明は上記実施例に記載した構成に限定されるものではなく、その趣旨を逸脱しない範囲において適宜その構成を変更することができるものである。
【００２４】
【発明の効果】
本発明の入退場者の管理システムによれば、ＲＦＩＤタグに個別のＩＤ信号を持たせるほか、スイッチの押下によって緊急事態の報告や、タイムカードに変わる勤務時間の管理を行うことができる。
【００２５】
また、スイッチ押下の組み合わせによって、ＲＦＩＤタグの個別ＩＤ信号の発信機能を一定時間有効とする場合は、紛失によってそのＲＦＩＤタグを取得した部外者の室内への侵入を防止することができる。
【図面の簡単な説明】
【図１】本発明の入退場者の管理システムのＲＦＩＤタグの回路を示す説明図である。
【図２】本発明の入退場者の管理システムのＲＦＩＤタグの平面図である。
【図３】従来の入退場者の管理システムのＲＦＩＤタグの回路を示す説明図である。
【図４】従来の入退場者の管理システム１実施例を示す斜視図である。
【図５】従来の入退場者の管理システム１実施例を示す正面図である。
【符号の説明】
１  ＲＦＩＤタグ
３  赤外線発信装置
５  タグ受信機
Ａ  スイッチ
Ｂ  スイッチ
Ｃ  スイッチ
【図１】
2004288119.tif 000003
【図２】
2004288119.tif 000004
【図３】
2004288119.tif 000005
【図４】
2004288119.tif 000006
【図５】
2004288119.tif 000007